(57)【要約】      （修正有）【課題】料理に用いる鍋において、製造工場ごとに、大きさや形状が一定でないコンロを、使用し、安全または安心して料理を作ることができる、ステンレス製又はアルミニウム製、又はアルミニウム合金製、又は鋳物製、あるいはその他の材質の鍋を提供する。【解決手段】ステンレス製又はアルミニウム製、又はアルミニウム合金製、又は鋳物製、あるいはその他の材質の鍋の側面又は、底面に場所を変えて１本から複数本の溝２又は、１本から複数本のくぼみ２を入れることにより、外見的には従来の鍋と変わらず、製造工場ごとに、大きさや形状が一定でないコンロに使用できる。又、製造工場ごとに、大きさや形状が一定でないコンロにのせた時に固定・安定し、安全に安心して料理を作ることができる。【選択図】図２
0003112083.tif 000002
【実用新案登録請求の範囲】
【請求項１】
ステンレス製又はアルミニウム製、又はアルミニウム合金製、又は鋳物製、あるいはその他の材質の鍋において、側面又は、底面に場所を変えて１本から複数本の溝２又は、１本から複数本のくぼみ２を入れたことを特徴とする、ステンレス製又はアルミニウム製、又はアルミニウム合金製、又は鋳物製、あるいはその他の材質の鍋。
【請求項２】
前記鍋は、コンロ図３にのせた時に、コンロの形状やコンロの大小を選ばず、又、コンロにのせた時に固定・安定し、安全に料理を作ることができることを特徴とする、請求項１に記載の鍋。
【考案の詳細な説明】
【技術分野】
【０００１】  本考案は、料理に用いるステンレス製又は、アルミニウム製、又はアルミニウム合金製、又は鋳物製、あるいはその他の材質の鍋に関するものである。
【背景技術】
【０００２】  従来、料理に用いるステンレス製又は、アルミニウム製、又はアルミニウム合金製、又は鋳物製、あるいはその他の材質の鍋は、図１、図５に示すような鍋が一般的であった。そのため図３に示すような、大きさや形状が一定でないコンロにのせて料理を作ると、鍋の側面・底面が丸い構造ため、不安定で危険であった。又、コンロの大きさや形状は一定ではなく、製造工場ごとに違うため、コンロ専用の鍋を作ることも困難であった。
【考案の開示】
【考案が解決しようとする課題】
【０００３】  本考案の目的は、製造工場ごとに、大きさや形状が一定でないコンロ図３を使用して、安全に安心して使用できる、ステンレス製又は、アルミニウム製、又はアルミニウム合金製、又は鋳物製、あるいはその他の材質の鍋を提供することにある。
【課題を解決するための手段】
【０００４】  上記目的を達成するため、本考案は、ステンレス製又は、アルミニウム製、又はアルミニウム合金製、又は鋳物製、あるいはその他の材質の鍋の側面又は、底面に場所を変えて１本から複数本の溝２を、又は１本から複数本のくぼみ２を入れることにより、外見的には図１、図５の従来の鍋と変わらず、製造工場ごとに、大きさや形状が一定でない図３のようなコンロに使用できることを特徴とする。又、製造工場ごとに、大きさや形状が一定でない図３のようなコンロにのせた時に、固定・安定することを特徴とするものである。
【考案の効果】
【０００５】  本考案は、以上のような構造であるから、以下に記載されるような効果を奏する。従来のステンレス製又は、アルミニウム製、又はアルミニウム合金製、又は鋳物製、あるいはその他の材質の鍋は、図１、図５に示す通り、側面又は、底面に溝２やくぼみ２がなく、図３に示す、製造工場ごとに大きさや形状が一定でないコンロにのせて料理を作ると、鍋の側面・底面が丸い構造ため、不安定で危険であった。そこで図２、図６に示すステンレス製又はアルミニウム製、又はアルミニウム合金製、又は鋳物製、あるいはその他の材質の鍋のように、側面又は、底面に場所を変えて１本から複数本の溝２、又は１本から複数本のくぼみ２を入れることにより、製造工場ごとに大きさが一定でない、図３のようなコンロに使用できる。また、鍋の溝２又は、くぼみ２の位置は特定できないが、鍋の側面又は、底面の溝２又は、くぼみ２が図３のような、製造工場ごとに大きさが一定でないコンロの上部分１と一致するから、料理を作るときに固定・安定し、安全に料理を作ることができる。
【考案を実施するための最良の形態】
【０００６】  本考案は図４の使用状態を示す斜視図の通り、製造工場ごとに大きさが一定でない図３に示すようなコンロに、図２、図６の側面又は、底面に場所を変えて１本から複数本の溝２又は、１本から複数本のくぼみ２を入れた、ステンレス製又はアルミニウム製、又はアルミニウム合金製、又は鋳物製、あるいはその他の材質の鍋をのせて使用し、料理を作る。
【実施例】
【０００７】  実施例について図面を参照して説明すると、製造工場ごとに大きさが一定でない図３に示すようなコンロを使用し、図２、図６の側面又は、底面に場所を変えて１本から複数本の溝２又は、１本から複数本のくぼみ２を入れた、ステンレス製又はアルミニウム製、又はアルミニウム合金製、又は鋳物製、あるいはその他の材質の鍋図２、図６を用いて料理を作れば、図３の製造工場ごとに大きさが一定でないコンロの上部分１と一致するから、安全に安心して料理を作ることができる。【０００８】  本考案は上記のような鍋図２、図６を使用して料理を作るので、コンロの大きさ、形状を問わず、安全に安心して料理を作ることができる。
【産業上の利用可能性】
【０００９】  本考案の図２、図６の側面又は、底面に場所を変えて１本から複数本の溝２又は、１本から複数本のくぼみ２を入れた、ステンレス製又はアルミニウム製、又はアルミニウム合金製、又は鋳物製、あるいはその他の材質の鍋は、図３の製造工場ごとに大きさが一定でないコンロを使用することが可能ですので、現在使用のコンロを変更することなく、有効に利用できる。【００１０】  図２、図６の側面又は、底面に場所を変えて１本から複数本の溝２又は、１本から複数本のくぼみ２を入れた、ステンレス製又はアルミニウム製、又はアルミニウム合金製、又は鋳物製、あるいはその他の材質の鍋を使用するので、製造工場ごとにコンロの形状や大きさが一定でないコンロにも使用可能で、安全に安心して料理を作ることができる。
【図面の簡単な説明】
【００１１】
【図１】  従来のステンレス製又はアルミニウム製、又はアルミニウム合金製、又は鋳物製、あるいはその他の材質の鍋を示す斜視図。
【図２】  本考案に係る側面又は、底面に場所を変えて１本から複数本の溝、又は１本から複数本のくぼみを入れた、ステンレス製又はアルミニウム製、又はアルミニウム合金製、又は鋳物製、あるいはその他の材質の鍋を示す斜視図。
【図３】  製造工場ごとに大きさが一定でないコンロを示す斜視図。
【図４】  本考案の使用状態を示した斜視図。
【図５】  従来のステンレス製又はアルミニウム製、又はアルミニウム合金製、又は鋳物製、あるいはその他の材質の鍋を示した正面図。
【図６】  本考案に係る側面又は、底面に場所を変えて１本から複数本の溝、又は１本から複数本のくぼみを入れた、ステンレス製又はアルミニウム製、又はアルミニウム合金製、又は鋳物製、あるいはその他の材質の鍋の正面図。
【符号の説明】
１  製造工場ごとに大きさが一定でないコンロの上部分。
２  溝、又は、くぼみ。
【図１】
0003112083.tif 000003
【図２】
0003112083.tif 000004
【図３】
0003112083.tif 000005
【図４】
0003112083.tif 000006
【図５】
0003112083.tif 000007
【図６】
0003112083.tif 000008
【手続補正書】
【提出日】平成17年4月1日(2005.4.1)
【手続補正１】
【補正対象書類名】実用新案登録請求の範囲
【補正対象項目名】請求項２
【補正方法】変更
【補正の内容】
前記鍋は、製造工場ごとに大きさや形状が一定でないコンロにのせた時に、コンロの形状やコンロの大小を選ばず、又、コンロにのせた時に固定・安定し、安全に料理を作ることができることを特徴とする、請求項１に記載の鍋。
【手続補正２】
【補正対象書類名】明細書
【補正対象項目名】０００９
【補正方法】変更
【補正の内容】
本考案の図２、図６の側面又は、底面に場所を変えて１本から複数本の溝２又は、１本から複数本のくぼみ２を入れた、ステンレス製又はアルミニウム製、又はアルミニウム合金製、又は鋳物製、あるいはその他の材質の鍋は、図３の製造工場ごとに大きさが一定でないコンロを使用することが可能となる。